(57)【要約】【課題】ＦＭトランスミッターの使用時における空中の電界強度は、ＡＴＴやＡＧＣなどを用いて、送信する信号の増幅率を制御しても、送信アンテナの感度変化の影響を受けてしまう。その為、ＦＭトランスミッターの使用時における空中の電界強度を所定の値に制御することは困難であった。【解決手段】  上記課題を解決するために本発明は、信号を増幅し送信する送信手段と、前記送信手段により送信された信号を受信する受信手段と、前記受信手段により受信された信号の信号強度を検出する信号強度検出手段と、前記信号強度検出手段により検出された信号強度と、所定の値とを比較する比較手段と、前記比較手段の結果に基づいて、前記送信手段による信号の増幅を制御する増幅制御手段とを備えることを特徴とする。【選択図】図２
2008252663.tif 000002
【特許請求の範囲】
【請求項１】
信号を増幅し、送信する送信手段と、
前記送信手段により送信された信号を受信する受信手段と、
前記受信手段により受信された信号の信号強度を検出する信号強度検出手段と、
前記信号強度検出手段により検出された信号強度と、所定の値とを比較する比較手段と、
前記比較手段の結果に基づいて、前記送信手段による信号の増幅を制御する増幅制御手段と
を備えたことを特徴とする通信端末装置。
【請求項２】
前記増幅制御手段は、
前記比較手段が、前記信号検出手段によって検出された信号強度が所定の値よりも大きいと判断した場合は、前記送信手段による信号の増幅率を下げること、
を特徴とする請求項１記載の通信端末装置。
【請求項３】
前記増幅制御手段は、
前記比較手段が、前記信号検出手段によって検出された信号強度が所定の値よりも低いと判断した場合は、前記送信手段による信号の増幅率を上げること、
を特徴とする請求項１記載の通信端末装置。
【請求項４】
前記増幅制御手段は、
前記比較手段が、前記信号検出手段によって検出された信号強度と、所定の値とが同じと判断した場合は、前記送信手段による信号の増幅率を変化させないこと、
を特徴とする請求項１記載の通信端末装置。
【発明の詳細な説明】
【技術分野】
【０００１】
本発明は、ＦＭトランスミッター等の近距離無線通信機能を搭載した通信端末装置に関する。
【背景技術】
【０００２】
携帯電話機等の通信端末装置は、基地局と無線通信を行う為にアンテナを備えており、アンテナを介して信号の送受信を行っている。
【０００３】
しかし、電波は伝搬距離に応じて電界強度が減衰する。通信端末装置は、送信する信号を増幅させてから基地局に送信しなければ、信号の電界強度が基地局に到達するまでに減衰するために、基地局側で信号を受信できない虞がある。通信端末装置の高周波回路には空中での電界強度を保つため、送信信号を増幅させる増幅器が取り付けられている。そして、増幅器の増幅率を制御する手段として、ＡＴＴ（Attenuator）やＡＧＣ（Automatic Gain Control）などが知られている。
【特許文献１】特開２００４―８１９４８６
【発明の開示】
【発明が解決しようとする課題】
【０００４】
通信端末装置の中には、ＦＭトランスミッター等の近距離無線通信機能を搭載した通信端末装置がある。ＦＭトランスミッターは、免許を必要としない電波を使用して信号の送信を行う。そして、その場合は、通信距離と、空中での電界強度とが電波法の第４条によって制限されている。従って、ＦＭトランスミッターを使用する場合は、送信する信号の増幅率を制御し、空中の電界強度を制御しなければならない。従来はＡＴＴ、ＡＧＣを利用することにより、送信する信号の増幅率を制御し、空中での電界強度対策を行っていた。
【０００５】
しかし、ＦＭトランスミッターの使用時における空中の電界強度は、ＦＭトランスミッターの送信アンテナの利得の影響も受ける。そして、このアンテナの利得は、ＦＭトランスミッターが設けられた携帯電話機等の通信端末装置の形態の変化など、様々な要因から影響を受ける。例えば、スライド型の携帯電話機の場合は、スライドの開閉動作によってＦＭトランスミッターの送信アンテナの利得が変化する。また、通信端末装置にイヤホンを装着した場合もこのアンテナの利得が変化する。ＡＴＴやＡＧＣなどを用いて送信する信号の増幅率を制御しても、送信アンテナの利得変化の影響を受けてしまう為に、ＦＭトランスミッターの使用時における空中の電界強度を所定の値に制御することは困難であった。
【課題を解決するための手段】
【０００６】
上記課題を解決するために本発明は、信号を増幅し送信する送信手段と、前記送信手段により送信された信号を受信する受信手段と、前記受信手段により受信された信号の信号強度を検出する信号強度検出手段と、前記信号強度検出手段により検出された信号強度と、所定の値とを比較する比較手段と、前記比較手段の結果に基づいて、前記送信手段による信号の増幅を制御する増幅制御手段とを備えることを特徴とする。
【発明の効果】
【０００７】
ＦＭトランスミッター等の送信手段を使用した場合に、送信手段から送信された信号を受信する手段を備え、受信した信号の信号強度を検出し、検出された信号強度に基づいて、送信手段から使用時に送信される信号の増幅率を制御する構成を備えることにより、送信手段から送信される信号の増幅率は、空中での電界強度に基づいて制御される。従って、送信手段の使用の状況に応じて、空中の電界強度を所定の値に制御することが可能となる。
【０００８】
また、本発明の効果は、ＦＭトランスミッター以外の近距離無線通信手段を用いた場合も、同様の効果を奏することができる。
【発明を実施するための最良の形態】
【０００９】
以下、本発明に係る通信処理装置の一実施の形態である携帯電話機について、図１乃至図５を用いて説明すれば以下の通りである。
【００１０】
図１は、本発明の実施形態である携帯電話機１の外観の例を示している。携帯電話機１は、上部筐体２と下部筐体４とがヒンジ部分３で接続されている折り畳み式携帯電話機である。図１（ａ）は、携帯電話機１の使用状態であるオープンスタイルを正面から見た図である。図１（ｂ）は、携帯電話機１のオープンスタイルを背面から見た図である。
【００１１】
図１に示すように、上部筐体２はディスプレイ５とスピーカ６とカメラ装置９とを備えている。下部筐体４はマイク８と操作部７とを備えている。操作部７は、テンキー、方向キー、決定キーなどのキー群で構成されている。
【００１２】
図２は携帯電話機１の構成図を示している。携帯電話機１は、通信部１３とＦＭ送信部１４とＦＭ受信部１６と利得制御部１５と表示部１８と記憶部２０と操作部７と音声制御部１９と制御部１７とで構成されている。
【００１３】
通信部１３はアンテナ１０を含んで構成される。通信部１３は、アンテナ１０から受け取った受信信号を受話音声信号及び受信データ信号に復調する。次に通信部１３は、復調した受話音声信号を音声制御部１９に、そして受信データ信号を制御部１７に出力する。また通信部１３は、音声制御部１９でＡ／Ｄ変換された送話音声信号と制御部１７から与えられる送信データ信号とを変調したのちに、アンテナ１０から出力する機能を有する。
【００１４】
ＦＭ送信部１４はＦＭトランスミッターであり、アンテナ１１を含んで構成される。ＦＭ送信部１４は、記憶部２０に記憶されているデータを送信信号に変調し増幅させる機能を有する。そして、ＦＭ送信部１４は、制御部１７から指示された周波数を使用して、アンテナ１１を介して増幅された送信信号を出力する機能を有する。ＦＭ送信部１４が使用する周波数帯と変調方式とは、ＦＭ放送で使用される周波数帯と変調方式と同じである。記憶部２０に記憶されているデータとは、例えば、録音された音声データ、音楽データなどのことである。
【００１５】
ＦＭ受信部１６はアンテナ１２を含んで構成される。ＦＭ受信部１６は、ＦＭ放送から送信されている送信信号の中から、制御部１７から指示された周波数の送信信号を受信し、復調する機能を有する。復調された信号は、音声制御部１９に出力する。
【００１６】
また、ＦＭ受信部１６は、信号強度検出部２３を含んで構成される。信号強度検出部２３は、ＦＭ受信部１６が受信した信号を受け取り、受け取った信号の信号強度を検出する機能を有する。具体的には信号検出部２３は、ＦＭ受信部１６により受信された信号のＲＳＳＩ（Received  Signal  Strength  Indicator）を検出する。
【００１７】
利得制御部１５は、制御部１７からの指示により、信号強度検出部２３により検出された信号強度に基づき、ＦＭ送信部１４によって送信される信号の増幅率を制御する機能を有する。利得制御部１５は、比較部２２と増幅率制御部２１とを含んで構成される。比較部２２は、信号強度検出部２３により検出された信号強度と、記憶部２０に記憶されている基準値とを比較し、信号強度検出部２３により検出された信号強度が、基準値より大きいか、又は小さいかを判断する。増幅率制御部２１は、比較手段による比較判断に基づきＦＭ送信部１４により送信される信号の増幅率を制御する。具体的には、信号強度検出部２３により検出されたＲＳＳＩが、基準値より大きい場合は、ＦＭ送信部１４により送信される信号の増幅率を下げ、また、信号強度検出部２３により検出されたＲＳＳＩが、基準値より小さい場合は、ＦＭ送信部１４により送信される信号の増幅率を上げる。比較部２２と利得制御部２１とはＡＧＣ回路などによって実現される。
【００１８】
ＦＭ送信部１４を使用する場合における基準値は、実験などによって基準値が定めることができる。例えば、無免許の電波を使用する場合における空中の電界強度は、５００μＶ／ｍと規定されているので、規定されている電界強度の信号を、又は規定されている電界強度以下の信号を送信し、その送信された信号のＲＳＳＩを基準値として定めることとしても良い。また、ＦＭ送信部１４を使用した場合に、最初に送信された信号のＲＳＳＩを検出し、その値を基準値としても良い。
【００１９】
また、本実施の形態において、信号強度検出部２３は、ＦＭ受信部１６に含まれる構成で説明するが、必ずしもＦＭ受信部１６に含まれる必要はなく、利得制御部１５に含まれていてもよい。その場合は、利得制御部１５は、信号強度検出部２３と比較部２２と増幅率制御部２１とによって構成される。そして、信号強度検出部２３は、ＦＭ受信部１６が受信した信号を受け取り、受け取った信号のＲＳＳＩを検出する。そして、比較部２２は、信号検出部２３によって検出されたＲＳＳＩと、基準値とを比較することになる。
【００２０】
表示部１８は、ディスプレイ５を含んで構成される。表示部１８は、制御部１７の指示による画像や動画像などをディスプレイ５に表示させる機能を有する。具体的には、表示部１８は、待ち受け画面、メールの文章、動画像などをディスプレイ５に表示させる機能を有する。ディスプレイ５はＬＣＤ（Liquid  Crystal  Display）などによって実現される。
【００２１】
記憶部２０は、携帯電話機１の動作上必要な各種データやプログラムなどを記憶する機能を有する。また、記憶部２０は音声データや音楽データ、画像データなどを記憶する機能も有する。記憶部２０はＲＯＭ（Read  Only  Memory）とＲＡＭ（Random  Access  Memory）とを含んで構成される。記憶部２０は小型ハードディスクや不揮発性メモリなどを含んでいてもよい。
【００２２】
音声制御部１９は、通信部１３から出力された受話音声信号を、又はＦＭ受信部１６から出力された信号を、Ｄ／Ａ変換してスピーカ６に出力する機能と、マイク８から取得した送話音声信号をＡ／Ｄ変換し、Ａ／Ｄ変換された信号を通信部１３に出力する機能とを有する。
【００２３】
制御部１７は、携帯電話機１の各部を制御する機能を有する。
【００２４】
次に、本実施の形態における携帯電話機１の処理動作を、フローチャートを用いて説明する。最初に、ＦＭ送信部１４から送信された信号をＦＭ受信部１６が受信するまでのフローを図４を用いて説明を行う。
【００２５】
制御部１７は、操作部７を介して、ＦＭ送信部１４の起動を検出している（Ｓ０１）。制御部１７は、ＦＭ送信部１４の起動を検出すると（Ｓ０１のＹＥＳ）、信号を送信する為に使用する周波数をＦＭ送信部１４に指定する（Ｓ０２）。
【００２６】
制御部１７、信号を送信する為に使用する周波数をＦＭ送信部１４に指定すると、ＦＭ受信部の起動を行う（Ｓ０３）。そして制御部１７は、ＦＭ受信部１６が受信する信号の周波数を、ＦＭ送信部１４が使用する周波数に指定する（Ｓ０４）。ＦＭ受信部１６は受信する信号の周波数を指定されると、信号の受信を開始する（Ｓ０５）。
【００２７】
次に、制御部１７は、ＦＭ受信部１６が信号の受信を開始したことを検出すると、ＦＭ送信部１４に対して、信号の送信を指示する。そしてＦＭ送信部１４は、制御部１７から指定された周波数を使用することにより、記憶部２０に記憶されている音声データや音楽データなどを変調し、アンテナ１１を介して送信する（Ｓ０６）。
【００２８】
以上の処理動作により、ＦＭ受信部１６は、ＦＭ送信部１４が送出した信号の受信が可能となる。
【００２９】
次に、ＦＭ受信部１６によって受信した信号に基づいて、ＦＭ送信部１４から送信される信号の増幅率を制御するまでのフローを、図５を用いて説明する。
【００３０】
信号強度検出部２３は、ＦＭ受信部１６により受信された信号のＲＳＳＩを検出する（Ｓ１１）。そして、比較部２２は、信号強度検出部２３が検出したＲＳＳＩと基準値とを比較する（Ｓ１２）。
【００３１】
ＲＳＳＩと基準値とに差がある場合は（Ｓ１３のＹＥＳ）、ＲＳＳＩが基準値よりも大きいと（Ｓ１４のＹＥＳ）、ＲＳＳＩが基準値と同じになるように、ＦＭ送信部１４から送信される信号の増幅率を下げる（Ｓ１６）。ＲＳＳＩが基準値よりも小さい場合は（Ｓ１４のＮＯ）、ＲＳＳＩが基準値と同じになるように、ＦＭ送信部１４から送信される信号の増幅率を上げる（Ｓ１５）。制御部１７は、ＦＭ送信部１４が起動中であるかを検出する（Ｓ１７）。ＦＭ送信部１４が起動中であれば、再度ＲＳＳＩを検出する（Ｓ１７のＹＥＳ）。ＦＭ送信部１４が終了していた場合は、ＦＭ受信部１６の起動を終了し、ＲＳＳＩの検出を終了する（Ｓ１８）。
【００３２】
ＲＳＳＩと基準値とが同じ場合は（Ｓ１３のＮＯ）、制御部１７は、ＦＭ送信部１４が起動中であるかを検出する（Ｓ１７）。ＦＭ送信部１４が起動中であれば、再度ＲＳＳＩを検出する（Ｓ１７のＹＥＳ）。ＦＭ送信部１４が終了していた場合は（Ｓ１７のＮＯ）、ＦＭ受信部１６の起動を終了し、ＲＳＳＩの検出を終了する（Ｓ１８）。
【００３３】
以上の処理動作により、送信された信号強度に基づいて、送信される信号の増幅率が制御される。その為、ＦＭ送信部１４の使用時における空中の電界強度を基準値に制御することが可能となる。
【００３４】
尚、実施の形態では、ＦＭトランスミッターからなるＦＭ送信部により送信された信号を、ＦＭ放送受信用のアンテナで受信することで記載した。しかし、必ずしも実施の形態に限定されるわけではなく、信号を送信する手段と、送信する手段とは別に、送信された信号を受信する手段とを備えていれば同様の効果を奏することができる。
【００３５】
また、実施の形態では、検出したＲＳＳＩと基準値とに差がある場合は、増幅率を制御した後にＲＳＳＩを再度検出する方法を記載したが、ＲＳＳＩと基準値とに差がある場合に、増幅率を制御しながら同時にＲＳＳＩを検出し、検出したＲＳＳＩが基準値と同じ値になった場合に増幅率の制御を終了することとしても良い。
【００３６】
更にまた、ＦＭ受信部１６は、信号を送信する為に使用する周波数を制御部１７がＦＭ送信部１４に指定した場合に、起動を開始することを記載したが、携帯電話機１の使用形態が変化した場合、例えば携帯電話機１の開閉を検出した場合等に、ＦＭ受信部１６を起動することとしてもよいし、イヤホンなどの外部機器が携帯電話機１に接続された場合に、ＦＭ受信部１６を起動することとしてもよい。又は、ＦＭ送信部１４がアンテナ１１を介して信号の送信を行ったことを検出した場合に、ＦＭ受信部１６の起動を開始することとしてもよい。
【図面の簡単な説明】
【００３７】
【図１】携帯電話機の外観の一例を示した図である。また（ａ）は携帯電話機のオープンスタイルを正面から見た図１（ｂ）は携帯電話機のオープンスタイルを背面から見た図である。
【図２】実施の形態における携帯電話機の機能構成を示した機能ブロック図である。
【図３】増幅制御部１５の機能構成を示したブロック図である。
【図４】実施の形態１における送信信号を受信する処理動作を示したフローチャートである。
【図５】実施の形態における送信信号の増幅率を制御する処理動作を示したフローチャートである。
【符号の説明】
【００３８】
１      携帯電話機
２      上部筐体
３      ヒンジ部
４      下部筐体
５      ディスプレイ
６      スピーカ
７      操作部
８      マイク
９      カメラ装置
１０    アンテナ
１１    アンテナ
１２    アンテナ
１３    通信部
１４    ＦＭ送信部
１５    利得制御部
１６    ＦＭ受信部
１７    制御部
１８    表示部
１９    音声制御部
２０    記憶部
２１    増幅率制御部
２２    比較部
２３    信号強度検出部
【図２】
2008252663.tif 000003
【図３】
2008252663.tif 000004
【図１】
2008252663.tif 000005
【図４】
2008252663.tif 000006
【図５】
2008252663.tif 000007